(57)【要約】本願は、ダストボックス（１０）及びロボット掃除機（１００）を開示する。ダストボックス（１０）はロボット掃除機（１００）に用いる。ダストボックス（１０）は本体（１２）と、本体（１２）内に設けられるフィルターホルダー（１４）と、ダストを止めるように構成される分離構造（１６）と、フィルター部品（１８）と、を含む。本体（１２）に吸気口（１２２）及び排気口（１２４）が形成される。フィルターホルダー（１４）の側面に孔（１４２）が形成される。分離構造（１６）は本体（１２）内に設けられ、且つ、孔（１４２）の吸気側に位置する。フィルター部品（１８）はフィルターホルダー（１４）に設けられ、且つ、孔（１４２）の排気側に位置する。【選択図】図２
2021513892.tif 000002
【特許請求の範囲】
【請求項１】
ロボット掃除機に用いるダストボックスであって、
吸気口及び排気口が形成される本体と、
前記本体内に設けられ、側面に孔が形成されるフィルターホルダーと、
前記本体内に設けられ、且つ、前記孔の吸気側に位置し、ダストを止めるために用いられる分離構造と、
前記フィルターホルダーに設けられ、且つ、前記孔の排気側に位置するフィルター部品と、を含むことを特徴とするダストボックス。
【請求項２】
前記分離構造は前記フィルターホルダーの底部の斜面であることを特徴とする請求項１に記載のダストボックス。
【請求項３】
前記フィルター部品はＨＥＰＡフィルタ、フィルタースポンジ、活性炭ストレーナーのいずれか１種類又は複数種類を含むことを特徴とする請求項１に記載のダストボックス。
【請求項４】
前記フィルターホルダーは底板と、側板と、を含み、前記側板は前記底板に接続されて、前記底板とともに収納空間を形成しており、前記フィルター部品は少なくとも部分的に前記収納空間に配置され、前記底板は前記吸気口に対向する斜面を含み、前記斜面によって前記分離構造が形成され、前記孔の吸気側は前記吸気口に背くことを特徴とする請求項１に記載のダストボックス。
【請求項５】
前記フィルターホルダーは支持板を含み、前記支持板は前記収納空間に配置され、且つ、前記底板と前記側板とに接続され、前記フィルター部品は前記支持板に支持されることを特徴とする請求項４に記載のダストボックス。
【請求項６】
前記吸気口及び前記排気口は前記本体の同じ側面に設けられ、前記吸気口は前記排気口の下方に配置されることを特徴とする請求項１に記載のダストボックス。
【請求項７】
前記本体の底部に排塵口が形成され、前記ダストボックスは下蓋を含み、前記下蓋は前記本体に回転可能に接続されて、前記排塵口を開放又は閉鎖することを特徴とする請求項１に記載のダストボックス。
【請求項８】
前記下蓋は対向する第１側部及び第２側部を含み、前記第１側部は前記本体に回転可能に接続され、前記下蓋が前記排塵口を閉鎖する場合に、前記第２側部は係止構造によって前記本体に係合して接続されることを特徴とする請求項７に記載のダストボックス。
【請求項９】
前記ダストボックスはボタンを含み、前記ボタンは回転軸を含み、前記ボタンは前記回転軸によって前記本体に回転可能に設けられ、前記係止構造は前記ボタンの一端に形成される係止フックと、前記第２側部に形成される係止部と、を含み、前記ボタンは前記本体に対して第１位置と第２位置との間で揺動可能であり、前記第１位置にある時、前記係止フックが前記係止部に係合することで、前記下蓋は前記排塵口を閉鎖し、前記第２位置にある時、前記係止フックが前記係止部から離脱することで、前記下蓋は前記排塵口を開放することを特徴とする請求項８に記載のダストボックス。
【請求項１０】
前記ダストボックスは前記本体の頂部に取り外し可能に設けられる上蓋を含むことを特徴とする請求項１に記載のダストボックス。
【請求項１１】
前記ダストボックスはシール部品を含み、前記シール部品は前記ダストボックスの部材を接続する箇所に設けられることを特徴とする請求項１に記載のダストボックス。
【請求項１２】
ロボット掃除機であって、
ボディと、
前記ボディに設けられるダストボックスと、を含み、
前記ダストボックスは、
吸気口及び排気口が形成される本体と、
前記本体内に設けられ、側面に孔が形成されるフィルターホルダーと、
前記本体内に設けられ、且つ、前記孔の吸気側に位置し、ダストを止めるために用いられる分離構造と、
前記フィルターホルダーに設けられ、且つ、前記孔の排気側に位置するフィルター部品と、を有することを特徴とするロボット掃除機。
【請求項１３】
前記分離構造は前記フィルターホルダーの底部の斜面であることを特徴とする請求項１２に記載のロボット掃除機。
【請求項１４】
前記フィルター部品はＨＥＰＡフィルタ、フィルタースポンジ、活性炭ストレーナーのいずれか１種類又は複数種類を含むことを特徴とする請求項１２に記載のロボット掃除機。
【請求項１５】
前記フィルターホルダーは底板と、側板と、を含み、前記側板は前記底板に接続されて、前記底板とともに収納空間を形成しており、前記フィルター部品は少なくとも部分的に前記収納空間に配置され、前記底板は前記吸気口に対向する斜面を含み、前記斜面によって前記分離構造が形成され、前記孔の吸気側は前記吸気口に背くことを特徴とする請求項１２に記載のロボット掃除機。
【請求項１６】
前記フィルターホルダーは支持板を含み、前記支持板は前記収納空間に配置され、且つ、前記底板と前記側板とに接続され、前記フィルター部品は前記支持板に支持されることを特徴とする請求項１５に記載のロボット掃除機。
【請求項１７】
前記吸気口及び前記排気口は前記本体の同じ側面に設けられ、前記吸気口は前記排気口の下方に配置されることを特徴とする請求項１２に記載のロボット掃除機。
【請求項１８】
前記本体の底部に排塵口が形成され、前記ダストボックスは下蓋を含み、前記下蓋は前記本体に回転可能に接続されて、前記排塵口を開放又は閉鎖することを特徴とする請求項１２に記載のロボット掃除機。
【請求項１９】
前記下蓋は対向する第１側部及び第２側部を含み、前記第１側部は前記本体に回転可能に接続され、前記下蓋が前記排塵口を閉鎖する場合に、前記第２側部は係止構造によって前記本体に係合して接続されることを特徴とする請求項１８に記載のロボット掃除機。
【請求項２０】
前記ダストボックスはボタンを含み、前記ボタンは回転軸を含み、前記ボタンは前記回転軸によって前記本体に回転可能に設けられ、前記係止構造は前記ボタンの一端に形成される係止フックと、前記第２側部に形成される係止部と、を含み、前記ボタンは前記本体に対して第１位置と第２位置との間で揺動可能であり、前記第１位置にある時、前記係止フックが前記係止部に係合することで、前記下蓋は前記排塵口を閉鎖し、前記第２位置にある時、前記係止フックが前記係止部から離脱することで、前記下蓋は前記排塵口を開放することを特徴とする請求項１９に記載のロボット掃除機。
【請求項２１】
前記ダストボックスは前記本体の頂部に取り外し可能に設けられる上蓋を含むことを特徴とする請求項１２に記載のロボット掃除機。
【請求項２２】
前記ダストボックスはシール部品を含み、前記シール部品は前記ダストボックスの部材を接続する箇所に設けられることを特徴とする請求項１２に記載のロボット掃除機。
【発明の詳細な説明】
【技術分野】
【０００１】
「関連出願の相互参照」
本願は、２０１８年３月３０日に中国国家知識産権局に提出された特許出願番号が２０１８２０４６５５４５．３である特許出願の優先権を主張し、その全体内容は参照することによって本願に組み込まれる。
【０００２】
本願は、家庭用電化製品技術の分野に関し、特にダストボックス及びロボット掃除機に関する。
【背景技術】
【０００３】
関連の技術において、ロボット掃除機が動作する時、床面のダストがダストボックスに吸い込まれ、ダストボックスに入る空気がＨＥＰＡフィルタを経て排出される。ダストはＨＥＰＡフィルタに止められてダストボックスに落ちる。しかしながら、ダストボックスでは、空気とダストが効果的に分離されないため、排出される空気は質が悪く、二次汚染を起こす恐れがある。また、ダストボックスに入ったダストがＨＥＰＡフィルタに直接作用するため、ＨＥＰＡの耐用年数が短くなり、ユーザーはＨＥＰＡを頻繁に交換する必要があり、非常に使いにくい。
【発明の概要】
【発明が解決しようとする課題】
【０００４】
本願の実施形態によれば、ダストボックス及びロボット掃除機が提供される。
【課題を解決するための手段】
【０００５】
本願の実施形態のダストボックスはロボット掃除機に用いられ、前記ダストボックスは、吸気口及び排気口が形成される本体と、前記本体内に設けられ、側面に孔が形成されるフィルターホルダーと、前記本体内に設けられ、且つ、前記孔の吸気側に位置し、ダストを止めるために用いられる分離構造と、前記フィルターホルダーに設けられ、且つ、前記孔の排気側に位置するフィルター部品と、を含む。
【０００６】
本願の実施形態のダストボックスによれば、最初に分離構造によってダストの大半が止められ、次に空気が孔を介してフィルター部品に入り、当該空気はフィルター部品によって空気と少量のダストとに分離され、排出される空気が効果的に浄化される。また、少量のダストだけがフィルター部品に届くため、フィルター部品の耐用年数が引き延ばされ、ユーザーはフィルター部品を頻繁に交換又は清掃しなくて済み、使いやすくなる。
【０００７】
本願の実施形態のロボット掃除機は、ボディと、前記ボディに設けられるダストボックスと、を含み、前記ダストボックスは、吸気口及び排気口が形成される本体と、前記本体内に設けられ、側面に孔が形成されるフィルターホルダーと、前記本体内に設けられ、且つ、前記孔の吸気側に位置し、ダストを止めるために用いられる分離構造と、前記フィルターホルダーに設けられ、且つ、前記孔の排気側に位置するフィルター部品と、を有する。
【発明の効果】
【０００８】
本願の実施形態のロボット掃除機によれば、ダストボックスでは最初に分離構造によってダストの大半が止められ、次に空気が孔を介してフィルター部品に入り、当該空気はフィルター部品によって空気と少量のダストとに分離され、排出される空気が効果的に浄化される。また、少量のダストだけがフィルター部品に届くため、フィルター部品の耐用年数が引き延ばされ、ユーザーはフィルター部品を頻繁に交換又は清掃しなくて済み、使いやすくなる。
【０００９】
本願の付加的な態様及び利点は次の説明の部分に示される。その一部の内容は次の説明により明瞭になるか、本願の実施によって理解される。
【図面の簡単な説明】
【００１０】
本願の上述した及び／又は付加的な態様及び利点は、次の図面を用いる実施形態の説明により明瞭で理解しやすいものになるであろう。
【図１】本願の実施形態のダストボックスの斜視模式図である。
【図２】本願の実施形態のダストボックスの断面模式図である。
【図３】本願の実施形態のダストボックスの分解模式図である。
【図４】本願の実施形態のフィルターホルダーの斜視模式図である。
【図５】本願の実施形態のフィルターホルダーの別の斜視模式図である。
【図６】本願の実施形態のフィルターホルダーの別の斜視模式図である。
【図７】本願の実施形態のフィルターホルダーの別の斜視模式図である。
【図８】本願の実施形態のフィルターホルダーの側面模式図である。
【図９】本願の実施形態のダストボックスの局所分解模式図である。
【図１０】本願の実施形態のロボット掃除機の構造模式図である。
【符号の説明】
【００１１】
１０…ダストボックス、１２…本体、１２２…吸気口、１２４…排気口、１２６…排塵口、１４…フィルターホルダー、１４２…孔、１４４…底板、１４６…側板、１４８…収納空間、１４１…斜面、１４３…支持板、１６…分離構造、１８…フィルター部品、１１…下蓋、１１２…第１側部、１１４…第２側部、１３…係止構造、１３２…係止フック、１３２２…係合面、１３４…係止部、１３４２…係止バー、１５…ボタン、１５２…回転軸、１５４…押し板、１５４２…第１揺動端、１５４４…第２揺動端、１５４６…弾性部品、１７…上蓋、１９…シール部品、１００…ロボット掃除機、２０…ボディ。
【発明を実施するための形態】
【００１２】
次に、本願の実施形態を詳細に説明し、図面の部分に当該実施形態の例を示している。常に同じ又は類似する符号で、同じもしくは類似する部品又は同じ又は類似する機能を有する部品を示す。図面を参照して説明される下記の実施形態は例示的なもので、本願を解釈するためのものに過ぎず、本願に対する制限として理解されるべきではない。
【００１３】
本願の説明において、用語「中央」、「縦方向」、「横方向」、「長さ」、「幅」、「厚さ」、「上」、「下」、「前」、「後」、「左」、「右」、「鉛直」、「水平」、「頂」、「底」「内」、「外」、「時計回り」、「反時計回り」等で指示された方位又は位置関係は、図面に示される方位又は位置関係に基づいていうものであり、本願の説明の便宜上及び説明の簡素化のためのものに過ぎず、その対象になる装置又は部品は必ず特定の方位に設けられ、特定の方位から構成又は操作されなければならないことを指示するか又はこの旨を示唆するものではない。また、用語「第１」、「第２」は説明用のものに過ぎず、相対的な重要性を指示又は示唆するもの、あるいはそれによって示される技術的特徴の数量を暗黙的に指示するものとして理解されるべきではない。これにより、「第１」、「第２」で限定される特徴は１つの又は複数の当該特徴を明確に又は暗黙的に含んでよい。本願の説明において、特に明確で具体的に限定される場合を除き、「複数」は少なくとも２つ、又は３つ以上を意味する。
【００１４】
本願において、特に明確で具体的に規定又は限定される場合を除き、「取り付ける」、「連通」、「接続」は広義に理解されるべきである。例えば、固定して接続されてもよいし、取り外し可能に接続されてもよいし、又は一体的に接続されてもよい。機械的に接続されてもよいし、電気的に接続されてもよい。直接接続されてもよいし、中間の媒介を介して間接的に接続されてもよく、２つの部品の内部の連通又は２つの部品の相互の作用関係であってもよい。当業者にとって、状況に応じて本願における上記の用語の具体的な意味を理解することができる。
【００１５】
図１〜図３が参照されるとおり、本願の実施形態のダストボックス１０はロボット掃除機１００に用いる。ダストボックス１０は本体１２と、本体１２内に設けられるフィルターホルダー１４と、ダストを止めるために用いられる分離構造１６と、フィルター部品１８と、を含む。本体１２に吸気口１２２及び排気口１２４が形成される。フィルターホルダー１４の側面に孔１４２が形成される。分離構造１６は本体１２内に設けられ、且つ、孔１４２の吸気側に位置する。フィルター部品１８はフィルターホルダー１４に設けられ、且つ、孔１４２の排気側に位置する。
【００１６】
本願の実施形態のダストボックス１０によれば、最初に分離構造１６によってダストの大半が止められ、次に空気が孔１４２を介してフィルター部品１８に入り、当該空気はフィルター部品１８によって空気と少量のダストが分離され、排出される空気は効果的に浄化される。また、少量のダストだけがフィルター部品１８に届くため、フィルター部品１８の耐用年数が引き延ばされ、ユーザーはフィルター部品１８を頻繁に交換又は清掃しなくて済み、使いやすくなる。
【００１７】
なお、ロボット掃除機１００が動作する時、機器の内部が真空になり、内外圧力差の作用で、ダストは空気に伴って吸気口１２２から本体１２に吸い込まれる。ダストが空気に伴って本体１２に入った後、ダストの大半、とりわけサイズが比較的大きいダスト粒子が分離構造１６に止められて本体１２の底部に落ち、少量の微細なダストだけが空気に伴って孔１４２を介してフィルター部品１８に届く。この場合に、ダストがフィルター部品１８によってフィルターされ、空気とダストが効果的に分離され、排出される空気は効果的に浄化される。これによって、ダストボックス１０から排出される空気の質が悪いため、二次汚染が起きることが避けられる。図２で、ダストボックス１０で矢印付きの直線は空気の気流を示す。分離構造１６は孔１４２の吸気側に配置され、即ち、分離構造１６は空気の気流が孔１４２に入る前の任意の位置に配置されてよく、言い換えれば、分離構造１６に対して、孔１４２はダストボックス１０内に空気の流動方向の下流に配置される。これによって、空気が孔１４２に入る前に、分離構造１６に出会うことが保証される。
【００１８】
いくつかの実施形態において、分離構造１６はフィルターホルダー１４の底部の斜面１４１である。
【００１９】
なお、分離構造１６はフィルターホルダー１４の底部の斜面１４１であり、即ち分離構造１６はフィルターホルダー１４と一体的に構成される。これによって、本体１２に多くのスペースが使用されることが避けられる。分離構造１６は本体１２の底部を向く斜面１４１であってよく、斜面１４１は吸気口１２２に対向し、ダストを含む空気の気流をガイドする役割を果たし、ダストを本体１２の底部に落とす。当然ながら、分離構造１６はフィルターホルダー１４と一体的に構成されなくてもよく、本体１２内で、他の位置に別の分離構造１６が設けられてもよい。分離構造１６は斜面、球面、非球面等のガイド面を有する構造部品であってよい。
【００２０】
いくつかの実施形態において、フィルター部品１８はＨＥＰＡフィルタ、フィルタースポンジ、活性炭ストレーナーのいずれか１種類又は複数種類を含む。
【００２１】
なお、ＨＥＰＡフィルタ、フィルタースポンジ、活性炭ストレーナーはいずれもダストをフィルターするため使用できる。フィルター部品１８はＨＥＰＡフィルタ、フィルタースポンジ又は活性炭ストレーナーであってよい。当然ながら、フィルター部品１８はＨＥＰＡフィルタとフィルタースポンジの組み合わせ、ＨＥＰＡフィルタと活性炭ストレーナーの組み合わせ、又はフィルタースポンジと活性炭ストレーナーの組み合わせであってよい。また、フィルター部品１８はＨＥＰＡフィルタとフィルタースポンジと活性炭ストレーナーの組み合わせであってもよい。フィルター部品１８は、ニーズに応じて、１つ設けられてもよいし、複数設けられてもよい。
【００２２】
図４〜図８が参照されるとおり、いくつかの実施形態において、フィルターホルダー１４は底板１４４と、側板１４６と、を含む。側板１４６は底板１４４に接続されて、底板１４４と収納空間１４８を形成している。フィルター部品１８は少なくとも部分的に収納空間１４８に配置される。底板１４４は吸気口１２２に対向する斜面１４１を含む。斜面１４１によって分離構造１６が形成され、孔１４２の吸気側は吸気口１２２に背く。
【００２３】
なお、吸気口１２２に対向する斜面１４１によって分離構造１６が形成されることによって、分離構造１６が空気に伴って本体１２に入るダストの大半を止めることに役立つとともに、ダストボックス１０の内部の構造部品が減り、ダストボックス１０内のダストを集めるスペースが広くなる。孔１４２の吸気側は吸気口１２２に背き、分離構造１６は孔１４２の吸気側に配置される。これによって、孔１４２は可能な限り吸気口１２２から離れていることになり、ダストを含む空気の気流が最初に分離構造１６を経て、分離構造１６によってダストの大半が止められ、次に空気の気流は孔１４２を通過しフィルター部品１８を経てフィルター部品１８によって空気と少量のダストが分離され、これによって空気とダストがさらに効果的に分離され、排出される空気が一層効果的に浄化される。
【００２４】
本実施形態において、フィルター部品１８はほぼ収納空間１４８内に配置され、即ち、フィルター部品１８の上面がフィルターホルダー１４の上面とほぼ面一になる。これによって、フィルター部品１８及びフィルターホルダー１４の全体の厚さが減らされ、ダストボックス１０の集塵スペースが確保されるとともに、ダストボックス１０の小型化にも役立つ。別の実施形態において、フィルター部品１８は部分的に収納空間１４８に配置され、即ち、フィルター部品はフィルターホルダー１４の上面に対して突出していてよい。このような実施形態において、収納空間１４８の深さを小さく設計するか、又はフィルター部品１８の突出した部位はフィルター部品１８又はフィルターホルダー１４上の他の部材に位置決めして取り付けるためにも利用できる。
【００２５】
なお、フィルターの効果を確保するために、フィルター部品１８が収納空間１４８に収容される場合には、フィルター部品１８がフィルターホルダー１４によりよく固定されるようにフィルター部品１８にはある程度の変形が許容される。当然ながら、接続を助ける部品、例えば、係止部品、ねじ等を利用してフィルター部品１８をフィルターホルダー１４に固定してもよい。
【００２６】
いくつかの実施形態において、フィルターホルダー１４は支持板１４３を含む。支持板１４３は収納空間１４８に配置され、且つ、底板１４４と側板１４６とに接続され、フィルター部品１８は支持板１４３に支持される。
【００２７】
これによって、支持板１４３がフィルター部品１８を支持することで、フィルター部品１８がフィルターホルダー１４に設けられる場合にその位置が相対的に安定しており、位置ずれしにくく、孔１４２を通る空気の気流をより効果的にフィルターでき、ダストと空気が効果的に分離される。
【００２８】
本実施形態で、支持板１４３は複数であり、複数の支持板１４３が間隔をあけて収納空間１４８に設けられる。これによって、フィルター部品１８がより確実に支持され、フィルター部品１８に作用する力が均一でないため位置がずれ、フィルターの効果に影響を与えることが避けられる。
【００２９】
また図２及び図３が参照されるとおり、いくつかの実施形態において、吸気口１２２及び排気口１２４は本体１２の同じ側面に設けられ、吸気口１２２は排気口１２４の下方に配置される。
【００３０】
これによって、ロボット掃除機１００が動作する時、吸気口１２２と排気口１２４との間に気流が形成され、ダストが気流に伴って吸気口１２２から本体１２に入る。フィルターされた後、ダストは止められて排気口１２４に流動できずに本体１２内に残り、フィルターされた空気が排気口１２４から排出される。当然ながら、吸気口１２２及び排気口１２４は本体１２の異なる側面に設けられてもよい。吸気口１２２と排気口１２４が本体１２の同じ側面に設けられる場合は、排気口１２４は吸気口１２２の下方に配置されてもよい。
【００３１】
図９が参照されるとおり、いくつかの実施形態において、本体１２の底部に排塵口１２６が形成される。ダストボックス１０は下蓋１１を含み、下蓋１１は本体１２に回転可能に接続され、且つ、排塵口１２６を開放又は閉鎖する。
【００３２】
なお、下蓋１１によって本体１２の底部の排塵口１２６が開放又は閉鎖されることにより、本体１２内のダストを除去しやすくなる。
【００３３】
いくつかの実施形態において、下蓋１１は対向する第１側部１１２及び第２側部１１４を含む。第１側部１１２は本体１２に回転可能に接続され、下蓋１１が排塵口１２６を閉鎖する場合に、第２側部１１４は係止構造１３によって本体１２に係合して接続される。
【００３４】
なお、係止構造１３が設けられることで、下蓋１１によって排塵口１２６を開放又は閉鎖することが容易になる。下蓋１１が排塵口１２６を閉鎖する場合に、第２側部１１４は係止構造１３によって本体１２により確実に係合して接続される。具体的には、ロボット掃除機１００からダストを除去する場合に、ダストボックス１０をロボット掃除機１００から取り出し、次に下蓋１１と本体１２との係合を解除することによって、下蓋１１が回転できるようになると排塵口１２６を開放し、下蓋１１に担持されたダストが下蓋１１の回転に伴って本体１２から流出する。このように、ダストを除去する時は、本体１２内のフィルター部品１８及びフィルターホルダー１４を取り出さなくて済み、清掃プロセスが容易になる。
【００３５】
さらに、第１側部１１２が本体１２に回転可能に接続されることは、次の形態で実現できる。例えば、第１側部１１２に回転軸が設けられ、本体１２に遷移孔が形成され、回転軸が遷移孔に収容されることによって、第１側部１１２が本体１２に回転可能に接続される。
【００３６】
なお、底部なる方向は図９に示す下向きの方向であり、頂部なる方向は図９に示す上向きの方向である。
【００３７】
いくつかの実施形態において、ダストボックス１０はボタン１５を含む。ボタン１５は回転軸１５２を含み、ボタン１５は回転軸１５２によって本体１２に回転可能に設けられる。係止構造１３はボタン１５の一端に形成される係止フック１３２と、第２側部１１４に形成される係止部１３４と、を含む。ボタン１５は本体１２に対して第１位置と第２位置との間で揺動可能である。第１位置にある時、係止フック１３２が係止部１３４に係合することで、下蓋１１は排塵口１２６を閉鎖する。第２位置にある時、係止フック１３２が係止部１３４から離脱することで、下蓋１１は排塵口１２６を開放する。
【００３８】
これによって、ボタン１５が押下されると、係止フック１３２が係止部１３４から離脱して、下蓋１１が回転して排塵口１２６を開放するとダストが排出され、シンプルな方式で排塵が実現される。具体的には、係止フック１３２は上向きの係合面１３２２を含み、係止部１３４は係止バー１３４２を含み、図２に示すように、第１位置にある時、係止バー１３４２が係合面１３２２を受け止める。
【００３９】
いくつかの実施形態において、ボタン１５は押し板１５４を含み、回転軸１５２は押し板１５４の中央の部位に固定される。押し板１５４は回転軸１５２の対向する両側にそれぞれ配置される第１揺動端１５４２及び第２揺動端１５４４を含む。係止フック１３２は第１揺動端１５４２に形成され、第１揺動端１５４２は本体１２から離れる方向に揺動し、第２揺動端１５４４は本体１２に近づく方向に揺動する。本体１２には第２揺動端１５４４が揺動するために回避空間が形成される。第１揺動端１５４２が本体１２から離れる方向に揺動する場合に、係止フック１３２が係止バー１３４２から離脱して、下蓋１１が開放される。
【００４０】
これによって、回避空間はボタン１５が回転する過程で本体１２に干渉することを防止できる。
【００４１】
また、押し板１５４の本体１２に対向する外面には弾性部品１５４６が設けられ、通常の状態では、弾性部品１５４６が本体１２の外面に接触してもよいし、又は接触しなくてもよい。接触する場合には、弾性部品１５４６が弾力を生成しなくてもよいし弾力を生成してもよい。弾力が生成される場合は、生成される弾力によって、第２揺動端１５４４は本体１２から離れるように駆動され、これによって、係止フック１３２と下蓋１１の係合が一層確実になる。
【００４２】
第２揺動端１５４４が外力を受けて本体１２へ押される場合には、弾性部品１５４６が圧縮され、第１揺動端１５４２が本体１２から離れる方向に揺動することによって、係止フック１３２が係止バー１３４２から離脱して、下蓋１１は開放される。外力がなくなると、弾性部品１５４６は第２揺動端１５４４が本体１２から離れる方向に揺動するように駆動して、第１揺動端１５４２は復帰する。
【００４３】
本実施形態において、弾性部品１５４６は押し板１５４上の弾性押し板である。別の実施形態において、弾性部品１５４６はばね、弾性ブロック等の他の弾性部品であってよい。
【００４４】
いくつかの実施形態において、ダストボックス１０は本体１２の頂部に取り外し可能に設けられる上蓋１７を含む。
【００４５】
これによって、上蓋１７を取り外した後、フィルターホルダー１４、分離構造１６、フィルター部品１８等の部品を本体１２から取り出すことも、入れることも容易である。具体的には、上蓋１７が係合の方式、ねじ接続の方式、しまりばめの方式で本体１２に取り外し可能に接続されてよい。
【００４６】
いくつかの実施形態において、ダストボックス１０はシール部品１９を含み、シール部品１９はダストボックス１０の部材を接続する箇所に設けられる。
【００４７】
なお、ダストボックス１０内の部材を接続する箇所は気密性が悪く、部材を接続する箇所にシール部品１９を設けることでダストボックス１０の気密性が保証され、ロボット掃除機１００による掃除には役立つ。シール部品１９はシールリング又はシールバーであってよい。具体的には、本願の実施形態において、上蓋１７と本体１２の頂部との間にシールリングが設けられ、フィルターホルダー１４と本体１２の内壁との間にシールリングが設けられ、下蓋１１と本体１２の底部との間にシールリングが設けられる。
【００４８】
図１０が参照されるとおり、本願の実施形態のロボット掃除機１００は、ボディ２０と、上記のいずれかの実施形態のダストボックス１０と、を含み、ダストボックス１０はボディ２０に設けられる。
【００４９】
本願の実施形態のロボット掃除機１００によれば、ダストボックス１０では最初に分離構造１６によってダストの大半が止められ、次に空気が孔１４２を介してフィルター部品１８に入り、当該空気はフィルター部品１８によって空気と少量のダストが分離され、排出される空気は効果的に浄化される。また、少量のダストだけがフィルター部品１８に届くため、フィルター部品１８の耐用年数が引き延ばされ、ユーザーはフィルター部品１８を頻繁に交換又は清掃しなくて済み、使いやすくなる。
【００５０】
好ましくは、ダストボックス１０がボディ２０に取り外し可能に設けられる。例えば、係止、ねじ、接着等の方式で、ボディ２０に取り外し可能に設けられる。
【００５１】
本願において、特に明確な規定又は限定される場合を除き、第１特徴が第２特徴の「上」又は「下」に配置されることは、第１特徴が第２特徴に直接接触することであってもよいし、第１特徴が第２特徴に直接接触するのではなく、それらの間の他の特徴を介して接触することであってもよい。さらに、第１特徴が第２特徴の「上」、「上方」又は「上部」に配置されることは、第１特徴が第２特徴の直上又は斜め上方に配置されることであってもよいし、第１特徴が第２特徴よりもの水平面からの高さが大きいことを意味してもよい。第１特徴が第２特徴の「下」、「下方」又は「下部」に配置されることは、第１特徴が第２特徴の直下又は斜め下方に配置されることであってもよいし、第１特徴が第２特徴よりも水平面からの高さ小さいことを意味してもよい。
【００５２】
上述した内容で本願の異なる構造を実現するために多くの異なる実施形態又は例が開示されている。本願の開示の簡素化のために、上述した内容で特定の例に係る部材とその設置を説明している。当然ながら、これらは例示的なものに過ぎず、しかもその目的は本願を限定することにない。また、本願では異なる例において、同じ数字や記号を参照することができ、かかる参照は説明の簡素化と分かりやすくすることが目的である。それ自体は検討される各種の実施形態及び／又は設置の関連性を示すものではない。さらに、本願には様々な特定のプロセスと材料の例が挙げられたが、当業者にとって、その他プロセス及び／又はその他材料も適用できることが自明である。
【００５３】
本明細書の説明において、用語「一つの実施形態」、「いくつかの実施形態」、「例」、「具体例」、又は「いくつかの例」等が含まれる文言は、当該実施形態又は例を用いて説明している具体的な特徴、構造、材料又は利点は、本願の少なくとも１つの実施形態又は例に含まれることを意味するものである。本明細書において、上記の用語を用いる例示的な文言は、必ずしも同一の実施形態又は例に限定されるものとは限らない。さらに、説明される具体的な特徴、構造、材料又は利点はいずれか１つ又は複数の実施形態もしくは例において、適切な方式で組み合わせることができる。
【００５４】
本願の実施形態を示してそれを説明しているとはいえ、本願の趣旨から逸脱しないことを前提に、これらの実施形態には様々な変更、補正、差替え及び変形が可能であり、本願の範囲が特許請求の範囲及び同等なものによって限定されることは、当業者に自明である。
【図１】
2021513892.tif 000003
【図２】
2021513892.tif 000004
【図３】
2021513892.tif 000005
【図４】
2021513892.tif 000006
【図５】
2021513892.tif 000007
【図６】
2021513892.tif 000008
【図７】
2021513892.tif 000009
【図８】
2021513892.tif 000010
【図９】
2021513892.tif 000011
【図１０】
2021513892.tif 000012
【国際調査報告】
2021513892.tif 000013
2021513892.tif 000014
2021513892.tif 000015
2021513892.tif 000016
2021513892.tif 000017
2021513892.tif 000018
2021513892.tif 000019
2021513892.tif 000020